(57)【要約】【課題】集中豪雨等による洪水等が発生した場合であっても、室外機が水没することがなく、また、洪水により流されてしまうことを防止することができ、空気調和機（暖冷房機）又は給湯機を通常通り使用することができる室外機用架台等を提供する。【解決手段】  地表から少なくとも上記住宅の一階の床上よりも上方に位置してなる支持部８，９を備え、該支持部８，９は、４つの角部が形成された枠体２上において、上記住宅に形成された外壁に向かって左右両側に移動可能で且つ着脱可能に取り付けら、上記枠体２の各角部の下端には、それぞれ複数の支柱３，４，５，６の上端が固定されてなるとともに、これらの支柱の３，４，５，６何れかの支柱と、上記住宅の基礎部とは、支柱ブラケット１８，１９により互いに連結されてなる。【選択図】  図２
2020148366.tif 000002
【特許請求の範囲】
【請求項１】
上部には室外機が支持される支持部を備えた室外機用架台であって、
上記支持部は、地表から少なくとも上記住宅の一階の床上よりも上方に位置してなるとともに、
該支持部は、４つの角部が形成された枠体上において、上記住宅に形成された外壁に向かって左右両側に移動可能で且つ着脱可能に取り付けられてなり、
上記枠体の各角部の下端には、それぞれ複数の支柱の上端が固定されてなるとともに、これらの支柱の何れかの支柱と、上記住宅の基礎部とは、支柱ブラケットにより互いに連結されてなることを特徴とする室外機用架台。
【請求項２】
前記支柱は、前記住宅から最も離間した上記枠体の左の角部に上端が固定された第１の支柱と、この第１の支柱と平行となされ該枠体の右の角部に上端が固定された第２の支柱と、該住宅に近接した左の角部に上端が固定された第３の支柱と、この第３の支柱と平行となされ該枠体の右の角部に上端が固定された第４の支柱と、を備えてなるとともに、
前記支柱ブラケットは、上記第３の支柱と前記基礎部とを連結する第１の支柱ブラケットと、上記第４の支柱と該基礎部とを連結する第２の支柱ブラケットであることを特徴とする請求項１記載の室外機用架台。
【請求項３】
前記請求項１又は２記載の何れかの室外機用架台を備えてなることを特徴とする住宅。
【発明の詳細な説明】
【技術分野】
【０００１】
本発明は、空気調和機（暖冷房機）又は給湯機に接続され室外に設置される室外機が洪水等の際に破損することを防止するために採用される室外機用架台及びこの室外機用架台を備えた住宅に関するものである。
【背景技術】
【０００２】
近年、台風による大雨や集中豪雨等により洪水が発生し、住宅に大きな被害が発生する場合が多いが、こうした洪水等の発生に伴って、室外に設置された室外機が浸水すると、該室外機が破損し、空気調和機（暖冷房機）又は給湯機は使用することができない。
【０００３】
そして、従来ではこうした室外機への浸水を防止することを一つの目的として、室外機内に配置され、内部に回路基板などを収容・支持する電装物アセイ部を電装ケース内に収容し、また、この電装ケースの固定位置を比較的上方とするとともに、該電装ケースの開口部を所定のカバーで覆う等とした技術が開示されている（特許文献１参照）。そして、この特許文献１には、上記構成により、雨天のときに浸透、浸水される雨水の貯溜による電気的な合線を未然に防止できると説明されている。
【先行技術文献】
【特許文献】
【０００４】
【特許文献１】特開平９−１７８２１９号公報
【発明の概要】
【発明が解決しようとする課題】
【０００５】
しかしながら、上記特許文献１に開示された構造は、室外機自体の内部構造を改良したものであるばかりか、雨天の際における雨水によって発生する電気的な合線を未然に防止するものであって、集中豪雨等による洪水等の発生により、例えば室外機全体が水没した場合には何ら機能するものではない。また、上記特許文献１に開示されたものでは、洪水や津波等が発生した場合には、その濁流によって、室外機自体が架台等と共に流されてしまい以後全く使用することができない。
【０００６】
そこで、本発明は、上述したように、集中豪雨等による洪水等が発生した場合であっても、通常の高さで設置された室外機が水没することなく、また、濁流等により流されてしまうことがなく、空気調和機（暖冷房機）又は給湯機を通常通り使用することができる室外機用架台及びこの室外機用架台を備えた住宅を提供することを目的とするものである。
【課題を解決するための手段】
【０００７】
本発明は、上記課題を解決するために提案されたものであって、第１の発明（請求項１記載の発明）は、室外機用架台に係るものであって、上部には室外機が支持される支持部を備えた室外機用架台であって、上記支持部は、地表から少なくとも上記住宅の一階の床上よりも上方に位置してなるとともに、該支持部は、４つの角部が形成された枠体上において、上記住宅に形成された外壁に向かって左右両側に移動可能で且つ着脱可能に取り付けられてなり、上記枠体の各角部の下端には、それぞれ複数の支柱の上端が固定されてなるとともに、これらの支柱の何れかの支柱と、上記住宅の基礎部とは、支柱ブラケットにより互いに連結されてなることを特徴とするものである。
【０００８】
上記第１の発明に係る室外機用架台は、室外機を支持する支持部が地表から少なくとも上記住宅の一階の床上よりも上方に位置してなるものであり、この支持部の高さ位置は、上記住宅の一階の床上よりもさらに上方、例えば、該一階に形成された窓の下端や、更にはその上方であっても良い。また、この第１の発明に係る室外機用架台では、上記支持部は、４つの角部が形成された枠体上において、上記住宅に形成された外壁に向かって左右両側に移動可能で且つ着脱可能に取り付けられている。したがって、室外機の取付位置を、その室外機の形状や大きさ等によって適宜変更することができる。
【０００９】
また、さらに、この室外機用架台を構成する支柱の何れかの支柱と、上記住宅の基礎部とは、支柱ブラケットにより互いに連結されており、地表や地盤には支持されていない。したがって、この第１の発明に係る室外機用架台によれば、洪水や津波等が発生した場合には、室外機が水没することを防止することができるばかりではなく、その濁流によって、室外機自体が架台等と共に流されてしまい、以後全く使用することができないと言う事態を有効に防止することができ、さらには、寒冷地等における積雪により、雪に埋まってしまうことを防止することができ、更に、該寒冷地における地盤の凍結により地表が膨出して架台全体が傾倒する自体を防止することができる。なお、この室外機用架台は、上記住宅の基礎部に固定されたものであって、住宅の外壁に固定したものではないことから、室外機の駆動に伴う微振動が室内に響き、これが不快音となる事態も防止することができる。
【００１０】
このように、上記第１の発明に係る室外機用架台によれば、集中豪雨等による洪水等が発生した場合であっても、また、洪水により流されてしまうことを防止することができ、空気調和機（暖冷房機）又は給湯機を通常通り使用することができる。
【００１１】
また、第２の発明（請求項２記載の発明）は、上記第１の発明において、前記支持部は、平面視にける外形形状が長方形状に成形され４つの角部を有する枠体であり、前記支柱は、前記住宅から最も離間した上記枠体の左の角部に上端が固定された第１の支柱と、この第１の支柱と平行となされ該枠体の右の角部に上端が固定された第２の支柱と、該住宅に近接した左の角部に上端が固定された第３の支柱と、この第３の支柱と平行となされ該枠体の右の角部に上端が固定された第４の支柱と、を備えてなるとともに、前記支柱ブラケットは、上記第３の支柱と前記基礎部とを連結する第１の支柱ブラケットと、上記第４の支柱と該基礎部とを連結する第２の支柱ブラケットであることを特徴とするものである。
【００１２】
この第２の発明に係る室外機用架台では、上記第１ないし第４の支柱を有してなることから、高重量の室外機であっても安定して支持することができる。
【００１３】
また、第３の発明（請求項３記載の発明）は、住宅に係るものであり、上記第１又は第２の発明の何れかの室外機用架台を備えてなることを特徴とするものである。
【発明の効果】
【００１４】
上記第１の発明（請求項１記載の発明）に係る室外機用架台や第３の発明（請求項３記載の発明）に係る住宅によれば、集中豪雨等による洪水等が発生した場合であっても、通常の高さで設置された室外機が水没することなく、空気調和機（暖冷房機）又は給湯機が通常通り使用することができる。
【００１５】
特に、この発明に係る室外機用架台では、上記支持部は、４つの角部が形成された枠体上において、上記住宅に形成された外壁に向かって左右両側に移動可能で且つ着脱可能に取り付けられている。したがって、室外機の取付位置を、その室外機の形状や大きさ等によって適宜変更することができる。さらに、この第１の発明に係る室外機用架台によれば、室外機が水没することを防止することができるばかりではなく、その濁流によって、室外機自体が架台等と共に流されてしまい、以後全く使用することができないと言う事態を有効に防止することができ、さらには、寒冷地等における積雪により、雪に埋まってしまうことを防止することができ、更にまた、該寒冷地における地盤の凍結により地表が膨出して架台全体が傾倒する自体を防止することができる。なお、この室外機用架台は、上記住宅の基礎部に固定されたものであって、住宅の外壁に固定したものではないことから、室外機の駆動に伴う微振動が室内に響き、これが不快音となる事態も防止することができる。
【図面の簡単な説明】
【００１６】
【図１】図１に示す室外機用架台の平面図である。
【図２】第１の実施の形態に係る室外機用架台を示す正面図である。
【図３】図１に示す室外機用架台の右側面図である。
【図４】図１に示す室外機用架台の背面図である。
【発明を実施するための形態】
【００１７】
以下、本発明を実施するための最良の形態について、図面を参照しながら詳細に説明する。
【００１８】
この室外機用架台１は、図示しない室外機を支持・固定するものであり、洪水等の予想される被害高さにも因るが、その上端の高さは地表から、例えば０．５〜５．０ｍとするのが好ましい。また、この室外機用架台１は、図１に示すように、左右方向に長さを有する長方形状の枠体２と、図２に示すように、この枠体２の正面の左側に形成された左前角部に上端が固定された左前支柱３と、図３又は図４に示すように、上記枠体２の正面の右側に形成された右前角部に上端が固定された右前支柱４と、図上記枠体２の背面の左側に形成された左後角部に上端が固定された左後支柱５と、上記枠体２の背面の右側に形成された右後角部２ｄに上端が固定された右後支柱６と、を備えている。
【００１９】
そして、上記枠体２は、図１に示すように、それぞれＬ字状に成形された金属板であって正面に位置する正面側トップバー２１と、この正面側トップバー２１と同一形状に成形され該正面側トップバー２１と平行となされた背面側トップバー２２と、前端は上記正面側トップバー２１の左端に固定され後端は上記背面側トップバー２２に固定された左側トップバー２３と、この左側トップバー２３と同一形状に成形され該左側トップバー２３と平行となされ右側トップバー２４とから構成されている。そして、上記正面側トップバー２１の左側中途部と右側中途部には、それぞれ該正面側トップバー２１の長さ方向と同じ方向に長さを有する第１の長孔２１ａと第２の長孔２１ｂとがそれぞれ形成されている。また、上記背面側トップバー２２の左側中途部と右側中途部には、それぞれ該背面側トップバー２２の長さ方向と同じ方向に長さを有する第３の長孔２２ａと第４の長孔２２ｂとがそれぞれ形成されている。
【００２０】
そして、上記枠体２上には、図１又は図２に示すように、左ホールド部材８と、この左ホールド部材８と平行に固定される右ホールド部材９とがそれぞれ配置されている。これら左ホールド部材８と右ホールド部材９とは、それぞれ後述する室外機の脚部を支持・固定するものであり、上記左側トップバー２３や右側トップバー２４の長さよりもやや長尺に成形されている。そして、上記左ホールド部材８は、天板部８１と、この天板部８１の左端から折曲された左側板部８２と、正面側板部８３と、この正面板部８３と対向する背面側板部８４（図４参照）と、上記正面側板部８３の下端から折曲され下面は上記正面側トップバー２１の上面に載置される図示しない正面側底板部と、上記背面側板部８４の下端から折曲され下面は上記背面側トップバー２２の上面に載置される背面側底板部８６と、を備えている。そして、図１に示すように、上記天板部８１の正面側中途部には第５の長孔８１ａが形成され、該天板部８１の背面側中途部には、第６の長孔８１ｂが形成されている。すなわち、上記第５の長孔８１ａと上記第１の長孔２１ａとは互いに直交する方向に長さを有し、また、第６の長孔８１ｂと上記第２の長孔２１ｂとは互いに直交方向に長さを有している。
【００２１】
また、上記右ホールド部材９は、図１に示す天板部９１と、この天板部９１の右端から折曲された右側板部９２と、正面側板部９３と、この正面板部９３と対向する背面側板部９４と、上記正面側板部９３の下端から折曲され下面は上記正面側トップバー２１の上面に載置される図示しない正面側底板部と、上記背面側板部９４の下端から折曲され下面は上記背面側トップバー２２の上面に載置される背面側底板部９６（図４参照）と、を備えている。そして、上記天板部９１の正面側中途部には、第７の長孔９１ａが形成され、該天板部９１の背面側中途部には、第８の長孔９１ｂが形成されている。すなわち、上記第７の長孔９１ａと上記第３の長孔２２ａとは互いに直交する方向に長さを有し、また、第８の長孔９１ｂと上記第４の長孔２２ｂとは互いに直交する方向に長さを有している。なお、上記正面側トップバー２１及び背面側トップバー２２は、それぞれ本発明を構成する支持部である。したがって、本発明を構成する上記支持部である上記正面側トップバー２１及び背面側トップバー２２は、住宅の壁面に向かって左右方向に移動可能とされてなるとともに、上記第５の長孔８１ａ、第６の長孔８１ｂ、第７の長孔９１ａ及び第８の長孔９１ｂにより、該正面側トップバー２１及び背面側トップバー２２に支持される室外機の固定位置は、住宅に向いて左右両側及びこの室外機用架台１の正面側及び背面側の任意の位置にて固定することができる。
【００２２】
また、上記左前支柱３は、図２に示すように、上記枠体２の正面の左側に形成された左前角部に上端が固定され垂直方向に長さを有する左垂直部３ａと、この左垂直部３ａの上端側中途部から下方に亘って徐々に後方（住宅の壁面方向）に接近するように傾斜してなる左傾斜部３ｂと、この左傾斜部３ｂの下端から後方に折曲され上記左側トップバー２３と平行となされた図示しない左下水平部とを備えている。また、図３に示すように、上記右前支柱４は、上記枠体２の正面の右側に形成された右前角部に上端が固定され垂直方向に長さを有する右垂直部４ａと、この右垂直部４ａの上端側中途部から下方に亘って徐々に後方（住宅の壁面方向）に接近するように傾斜してなる右傾斜部４ｂと、この右傾斜部４ｂの下端から後方に折曲され上記右側トップバー２４と平行となされた右下水平部４ｃとを備えている。そして、図２に示すように、上記左前支柱３と右前支柱４とは、それぞれ図示しないボルトとナットにより、第１ないし第３のフロントバー１１，１２，１３により互いに連結されている。なお、上記第１のフロントバー１１は、左端が上記左前支柱３に形成された左傾斜部３ｂの上端に固定され、右端は上記右前支柱４に形成された右傾斜部４ｂの上端に固定されたものであり、上記第２のフロントバー１２は、左端が上記左傾斜部３ｂの中途部に固定され、右端は上記右傾斜部４ｂの中途部に固定されたものである。また、上記第３のフロントバー１３は、左端が上記左傾斜部３ｂの下端に固定され、右端は上記右傾斜部４ｂの下端に固定されたものである。
【００２３】
また、上記左後支柱５と右後支柱６とは、図４に示すように、それぞれ平面形状がＬ字状に成形されてなるものであり、この室外機用架台１が固定される住宅の壁面に対向する対向板部５ａ，６ａと、この対向板部５ａ，６ａの左端又は右端から起立し互いに対向してなる起立板部５ｂ，６ｂとから構成されている。なお、上記各起立板部５ｂ，６ｂには、ボルトの軸部が挿通される複数のボルト挿通穴（符号は省略する。）が穿設されている。なお、上記左後支柱５を構成する起立板部５ｂの下端側には、上記左前支柱３に形成された図示しない左下水平部の先端が図示しないボルト及びナットにより固定され、また、上記右後支柱６を構成する起立板部６ｂの下端側には、上記右前支柱４に形成された右下水平部４ｃの先端が図示しないボルト及びナットにより固定されている。また、上記左後支柱５と右後支柱６とは、それぞれの両端が上記対向板部５ａ，６ａの背面に図示しないボルト及びナットにより固定され、中途部において互いに交差してなるクロスバー１５，１６により連結されている。
【００２４】
また、上記左後支柱５の起立板部５ｂの下端側は、後述する工程又は作業により、図示しないボルトとナットにより、この室外機用架台１を住宅の基礎部に連結・固定する左ブラケット１８が固定される部位であり、上記右後支柱６の起立板部６ｂの下端側は、後述する工程又は作業により、図示しないボルトとナットにより、この室外機用架台１を住宅の基礎部に連結・固定する右ブラケット１９が固定される部位である。これら左ブラケット１８及び右ブラケット１９は、それぞれ上記左後支柱５の起立板部５ｂ又は右後支柱６の起立板部６ｂに固定される架台側固定板部１８ａ，１９ａと、この架台側固定板部１８ａ，１９ａの後端から右側又は左側に折曲され背面は住宅の基礎部に固定される基礎側固定板部１８ｂ，１９ｂとから構成されている。なお、上記架台側固定板部１８ａ，１９ａ及び基礎側固定板部１８ｂ，１９ｂのそれぞれには、上記左後支柱５の起立板部５ｂ又は右後支柱６の起立板部６ｂと左ブラケット１８又は右ブラケット１９とを固定し、又は該左ブラケット１８又は右ブラケット１９と住宅の基礎部とを固定する図示しないボルトの軸部が挿通される挿通穴（符号は省略する。）が穿設されている。すなわち、上記第１の実施の形態に係る室外機用架台１は、上記左ブラケット１８及び右ブラケット１９により住宅の基礎部に支持・固定されている。
【００２５】
したがって、上記室外機用架台１によれば、洪水や津波等が発生した場合には、室外機が水没することを防止することができるばかりではなく、その濁流によって、室外機自体が架台等と共に流されてしまい、以後全く使用することができないと言う事態を有効に防止することができ、さらには、寒冷地等における積雪により、雪に埋まってしまうことを防止することができ、更に、該寒冷地における地盤の凍結により地表が膨出して架台全体が傾倒する自体を防止することができる。なお、この室外機用架台は、上記住宅の基礎部に固定されたものであって、住宅の外壁に固定したものではないことから、室外機の駆動に伴う微振動が室内に響き、これが不快音となる事態も防止することができる。
【符号の説明】
【００２６】
１  室外機用架台
２  枠体
３  左前支柱
４  右前支柱
５  左後支柱
６  右後支柱
８  左ホールド部材
９  右ホールド部材
１８  左ブラケット
１９  右ブラケット
【図１】
2020148366.tif 000003
【図２】
2020148366.tif 000004
【図３】
2020148366.tif 000005
【図４】
2020148366.tif 000006